(57)【要約】【課題】  運転停止すること無く、チャタリングや欠相等の故障も容易に検出できる電磁開閉器の検査方法を提供する。【解決手段】産業機械に設けられている電磁開閉器（６）において、その１次側電圧と２次側電圧とを比較して、不一致が検出されたら異常が発生していると判断する。比較する１次側電圧と２次側電圧は、１次側Ｒ線と１次側Ｓ線の１次側Ｒ−Ｓ線間電圧と２次側Ｒ線と２次側Ｓ線の２次側Ｒ−Ｓ線間電圧とを比較し、１次側Ｓ線と１次側Ｔ線の１次側Ｓ−Ｔ線間電圧と２次側Ｓ線と２次側Ｔ線の２次側Ｓ−Ｔ線間電圧とを比較する。あるいは１次側Ｒ、Ｓ、Ｔ線と、２次側Ｒ、Ｓ、Ｔ線のそれぞれの相電圧同士を比較する。なお、電圧の比較においては、フォトカプラ（１４）によって正弦波からなる電圧波形を矩形波に変換し、矩形波同士を比較する。【選択図】  図１
2020006645.tif 000002
【特許請求の範囲】
【請求項１】
産業機械に設けられ、三相交流電圧線である１次側Ｒ、Ｓ、Ｔ線からなる外部の１次側電線と、２次側Ｒ、Ｓ、Ｔ線からなる内部の２次側電線との間に介装されて前記１、２次側電線を導通・遮断するようになっている電磁開閉器の検査方法であって、
前記１次側電線において電圧を検出して１次側電圧を得、前記２次側電線において電圧を検出して２次側電圧を得、前記１次側電圧と前記２次側電圧を比較する電圧比較を実施して、前記電磁開閉器を導通しているとき不一致が検出されたら異常が発生していると判断することを特徴とする、産業機械の電磁開閉器の検査方法。
【請求項２】
請求項１に記載の検査方法において、前記１次側電圧は、前記１次側Ｒ線と前記１次側Ｓ線の線間電圧である１次側Ｒ−Ｓ線間電圧と、前記１次側Ｓ線と前記１次側Ｔ線の線間電圧である１次側Ｓ−Ｔ線間電圧とし、
前記２次側電圧は、前記２次側Ｒ線と前記２次側Ｓ線の線間電圧である２次側Ｒ−Ｓ線間電圧と、前記２次側Ｓ線と前記２次側Ｔ線の線間電圧である２次側Ｓ−Ｔ線間電圧とし、
前記電圧比較は、前記１、２次側Ｒ−Ｓ線間電圧同士と、前記１、２次側Ｓ−Ｔ線間電圧同士のそれぞれを比較することを特徴とする、産業機械の電磁開閉器の検査方法。
【請求項３】
請求項１に記載の検査方法において、前記１次側電圧は前記１次側Ｒ、Ｓ、Ｔ線のそれぞれの相電圧である１次側Ｒ、Ｓ、Ｔ相電圧とし、前記２次側電圧は前記２次側Ｒ、Ｓ、Ｔ線のそれぞれの相電圧である２次側Ｒ、Ｓ、Ｔ相電圧とし、前記電圧比較は、前記１、２次側Ｒ相電圧同士と、前記１、２次側Ｓ相電圧同士と、前記１、２次側Ｔ相電圧同士のそれぞれを比較することを特徴とする、産業機械の電磁開閉器の検査方法。
【請求項４】
請求項１〜３のいずれかの項に記載の検査方法において、前記電圧比較は、前記１、２次側電圧のそれぞれについて正弦波からなる電圧波形をフォトカプラを介して矩形波からなる電圧波形に変換し、矩形波同士を比較することによって実施することを特徴とする、産業機械の電磁開閉器の検査方法。
【請求項５】
三相交流電圧線である１次側Ｒ、Ｓ、Ｔ線からなる外部の１次側電線と、２次側Ｒ、Ｓ、Ｔ線からなる内部の２次側電線との間に介装されて前記１、２次側電線を導通・遮断する電磁開閉器が設けられている産業機械であって、
前記１次側電線には１次側電圧検出回路が、前記２次側電線には２次側電圧検出回路が設けられ、
前記１次側電圧検出回路によって検出される１次側電圧と、前記２次側電圧検出回路によって検出される２次側電圧とが前記制御装置において比較され、前記電磁開閉器を導通しているときにこれらの不一致が検出されると前記電磁開閉器が異常であると判断されるようになっていることを特徴とする産業機械。
【請求項６】
請求項５に記載の産業機械において、前記１次側電圧検出回路によって検出される前記１次側電圧は、前記１次側Ｒ線と前記１次側Ｓ線の線間電圧である１次側Ｒ−Ｓ線間電圧と、前記１次側Ｓ線と前記１次側Ｔ線の線間電圧である１次側Ｓ−Ｔ線間電圧であり、前記２次側電圧検出回路によって検出される前記２次側電圧は、前記２次側Ｒ線と前記２次側Ｓ線の線間電圧である２次側Ｒ−Ｓ線間電圧と、前記２次側Ｓ線と前記２次側Ｔ線の線間電圧である２次側Ｓ−Ｔ線間電圧であり、前記制御装置において前記１、２次側Ｒ−Ｓ線間電圧同士と、前記１、２次側Ｓ−Ｔ線間電圧同士のそれぞれが比較されるようになっていることを特徴とする産業機械。
【請求項７】
請求項５に記載の産業機械において、前記１次側電圧検出回路によって検出される前記１次側電圧は、前記１次側Ｒ、Ｓ、Ｔ線のそれぞれの相電圧である１次側Ｒ、Ｓ、Ｔ相電圧であり、前記２次側電圧検出回路によって検出される前記２次側電圧は、前記２次側Ｒ、Ｓ、Ｔ線のそれぞれの相電圧である２次側Ｒ、Ｓ、Ｔ相電圧であり、前記制御装置において前記１、２次側Ｒ相電圧同士と、前記１、２次側Ｓ相電圧同士と、前記１、２次側Ｔ相電圧同士のそれぞれが比較されるようになっていることを特徴とする産業機械。
【請求項８】
請求項５〜７のいずれかの項に記載の産業機械において、前記１、２次側電圧検出回路から検出される正弦波の電圧波形からなる前記１、２次側電圧は、フォトカプラによって矩形波からなる電圧波形に変換され、前記制御装置において矩形波の電圧波形同士が比較されるようになっていることを特徴とする産業機械。
【発明の詳細な説明】
【技術分野】
【０００１】
本発明は、外部の三相交流電力線と産業装置の内部の電力線とを導通させたり遮断させる電磁開閉器について正常／異常を判断する検査方法、および電磁開閉器の検査が実施されるようになっている産業機械に関するものである。本発明の電磁開閉器の検査方法は特に射出成形機に好適な方法である。
【背景技術】
【０００２】
電動射出成形機、押出機等の工場に設置される産業機械には、工場から三相交流電力の供給を受けて、各種モータが駆動されるようになっている。例えば電動射出成形機は、射出装置、型締装置等から構成されこれらは電動モータによって駆動されるようになっている。電動射出成形機は工場から三相交流電力の供給を受け、これをコンバータによって直流電力に変換する。この直流電力を所望の周波数の三相交流電力に変換し、これによって電動モータを駆動する。このような産業機械には電磁開閉器が設けられ、電磁開閉器の１次側には工場の三相交流電力線が、そして２次側には産業機械内部の電力線が接続されている。電磁開閉器は接点がＯＦＦされる方向にバネ付勢されているが、内部のコイルに通電すると電磁石により接点がＯＮされるようになっている。産業機械の運転を開始するときは電磁開閉器をＯＮする。そうすると１次側と２次側が接続されて産業機械に三相交流電力が供給され、各種モータの駆動が行えるようになる。一方、メンテナンスにより産業機械を停止する場合には電磁開閉器をＯＦＦする。そうすると１次側と２次側とが遮断される。産業機械内の各種モータの停止が保証され、メンテナンス時の安全が確保される。
【先行技術文献】
【特許文献】
【０００３】
【特許文献１】特開２０１７−７０９８１号公報
【０００４】
このように、電磁開閉器は産業機械において安全を確保するために重要な電気機器であるが、機械的に接点がＯＮ／ＯＦＦされるようになっているので経年劣化が避けられない。電磁開閉器のメーカは安全に使用できる期間を公表しており、期間経過前の交換を推奨している。従って定期的に実施される保守点検において、必要な時期に電磁開閉器を交換している。しかしながら電磁開閉器は、期間内であっても故障することがある。そのような電磁開閉器の故障として、例えば接点の溶着がある。長時間接点をＯＮし続けていると熱により接点が溶着することがあり、接点を開く動作、つまり電力の遮断ができなくなる。特許文献１には、産業機械の一種であるプレス加工機において電磁開閉器の接点の溶着の故障を検出する方法が記載されている。一般的なプレス加工機においては、プレス加工機の電源投入時において、電磁開閉器の接点の溶着の有無を検査するテストを一度だけ実施している。特許文献１に記載の検査方法では、プレス動作を行う加工プログラムが終了のトリガが発生したら、このタイミングにおいても接点の溶着の有無を検査するようにしている。このようにして検査の頻度を高くすることによってプレス加工機の安全性を高めることができる。
【発明の概要】
【発明が解決しようとする課題】
【０００５】
産業機械に設けられている電磁開閉器は、接点の溶着以外にも色々な故障が発生し、接点導通不良、絶縁部の劣化による短絡等の故障もある。故障の発生前において異音が発生したり、異臭が発生したり、変色する等の症状が出ていれば、周期的に実施される保守点検において異常に気づく可能性もある。そうすれば新品に交換し、産業機械の突然の停止を未然に防ぐことはできる。しかしながらこのような保守点検は、産業機械を停止して実施しなければならないので、頻繁に実施することはできないし、保守点検の間隔が長いと異常を検出できずに産業機械の突然の停止に至る場合もある。さらには、故障の種類によっては事前に症状が出ないもの、あるいは症状が出ても検出が難しいものもある。例えば、このような故障として接点が高速にばたついてＯＮ／ＯＦＦするチャタリングや、三相交流電力線の３相のうち１相が欠相する故障をあげることができる。このような故障が発生するとコンバータに入力される三相交流電力の品質は低下する。しかしながら品質は低下しても直流電力の生成は継続することができ、各種モータを駆動し続けることができる場合もある。つまり故障が発生しても故障に気づき難い。このような故障はやがて接点導通不良等に至り、産業機械が突然停止するという問題が発生する。
【０００６】
本発明は、上記したような問題点を解決した産業機械の電磁開閉器の検査方法および産業機械を提供することを目的としている。具体的には、産業機械の運転を停止すること無く電磁開閉器の故障の検査を実施することができ、チャタリングや欠相等の検出が難しい故障も検出できる電磁開閉器の検査方法、およびそのような検査方法を実施する産業機械を提供することを目的としている。
【課題を解決するための手段】
【０００７】
本発明は、上記目的を達成するために、産業機械に設けられている電磁開閉器において、その１次側電圧と２次側電圧とを比較して、電磁開閉器を導通しているときに不一致が検出されたら異常が発生していると判断するように構成する。比較する１次側電圧と２次側電圧は、１次側Ｒ線と１次側Ｓ線の１次側Ｒ−Ｓ線間電圧と２次側Ｒ線と２次側Ｓ線の２次側Ｒ−Ｓ線間電圧とを比較し、１次側Ｓ線と１次側Ｔ線の１次側Ｓ−Ｔ線間電圧と２次側Ｓ線と２次側Ｔ線の２次側Ｓ−Ｔ線間電圧とを比較する。あるいは１次側Ｒ、Ｓ、Ｔ線と、２次側Ｒ、Ｓ、Ｔ線のそれぞれの相電圧同士を比較する。なお、電圧の比較においては、フォトカプラによって正弦波からなる電圧波形を矩形波に変換し、矩形波同士を比較するようにする。
【０００８】
かくして請求項１に記載の発明は、上記目的を達成するために、産業機械に設けられ、三相交流電圧線である１次側Ｒ、Ｓ、Ｔ線からなる外部の１次側電線と、２次側Ｒ、Ｓ、Ｔ線からなる内部の２次側電線との間に介装されて前記１、２次側電線を導通・遮断するようになっている電磁開閉器の検査方法であって、前記１次側電線において電圧を検出して１次側電圧を得、前記２次側電線において電圧を検出して２次側電圧を得、前記１次側電圧と前記２次側電圧を比較する電圧比較を実施して、前記電磁開閉器を導通しているとき不一致が検出されたら異常が発生していると判断することを特徴とする、産業機械の電磁開閉器の検査方法として構成される。
請求項２に記載の発明は、請求項１に記載の検査方法において、前記１次側電圧は、前記１次側Ｒ線と前記１次側Ｓ線の線間電圧である１次側Ｒ−Ｓ線間電圧と、前記１次側Ｓ線と前記１次側Ｔ線の線間電圧である１次側Ｓ−Ｔ線間電圧とし、前記２次側電圧は、前記２次側Ｒ線と前記２次側Ｓ線の線間電圧である２次側Ｒ−Ｓ線間電圧と、前記２次側Ｓ線と前記２次側Ｔ線の線間電圧である２次側Ｓ−Ｔ線間電圧とし、前記電圧比較は、前記１、２次側Ｒ−Ｓ線間電圧同士と、前記１、２次側Ｓ−Ｔ線間電圧同士のそれぞれを比較することを特徴とする、産業機械の電磁開閉器の検査方法として構成される。
請求項３に記載の発明は、請求項１に記載の検査方法において、前記１次側電圧は前記１次側Ｒ、Ｓ、Ｔ線のそれぞれの相電圧である１次側Ｒ、Ｓ、Ｔ相電圧とし、前記２次側電圧は前記２次側Ｒ、Ｓ、Ｔ線のそれぞれの相電圧である２次側Ｒ、Ｓ、Ｔ相電圧とし、前記電圧比較は、前記１、２次側Ｒ相電圧同士と、前記１、２次側Ｓ相電圧同士と、前記１、２次側Ｔ相電圧同士のそれぞれを比較することを特徴とする、産業機械の電磁開閉器の検査方法として構成される。
請求項４に記載の発明は、請求項１〜３のいずれかの項に記載の検査方法において、前記電圧比較は、前記１、２次側電圧のそれぞれについて正弦波からなる電圧波形をフォトカプラを介して矩形波からなる電圧波形に変換し、矩形波同士を比較することによって実施することを特徴とする、産業機械の電磁開閉器の検査方法として構成される。
【０００９】
請求項５に記載の発明は、三相交流電圧線である１次側Ｒ、Ｓ、Ｔ線からなる外部の１次側電線と、２次側Ｒ、Ｓ、Ｔ線からなる内部の２次側電線との間に介装されて前記１、２次側電線を導通・遮断する電磁開閉器が設けられている産業機械であって、前記１次側電線には１次側電圧検出回路が、前記２次側電線には２次側電圧検出回路が設けられ、前記１次側電圧検出回路によって検出される１次側電圧と、前記２次側電圧検出回路によって検出される２次側電圧とが前記制御装置において比較され、前記電磁開閉器が導通しているときにこれらの不一致が検出されると前記電磁開閉器が異常であると判断されるようになっていることを特徴とする産業機械として構成される。
請求項６に記載の発明は、請求項５に記載の産業機械において、前記１次側電圧検出回路によって検出される前記１次側電圧は、前記１次側Ｒ線と前記１次側Ｓ線の線間電圧である１次側Ｒ−Ｓ線間電圧と、前記１次側Ｓ線と前記１次側Ｔ線の線間電圧である１次側Ｓ−Ｔ線間電圧であり、前記２次側電圧検出回路によって検出される前記２次側電圧は、前記２次側Ｒ線と前記２次側Ｓ線の線間電圧である２次側Ｒ−Ｓ線間電圧と、前記２次側Ｓ線と前記２次側Ｔ線の線間電圧である２次側Ｓ−Ｔ線間電圧であり、前記制御装置において前記１、２次側Ｒ−Ｓ線間電圧同士と、前記１、２次側Ｓ−Ｔ線間電圧同士のそれぞれが比較されるようになっていることを特徴とする産業機械として構成される。
請求項７に記載の発明は、請求項５に記載の産業機械において、前記１次側電圧検出回路によって検出される前記１次側電圧は、前記１次側Ｒ、Ｓ、Ｔ線のそれぞれの相電圧である１次側Ｒ、Ｓ、Ｔ相電圧であり、前記２次側電圧検出回路によって検出される前記２次側電圧は、前記２次側Ｒ、Ｓ、Ｔ線のそれぞれの相電圧である２次側Ｒ、Ｓ、Ｔ相電圧であり、前記制御装置において前記１、２次側Ｒ相電圧同士と、前記１、２次側Ｓ相電圧同士と、前記１、２次側Ｔ相電圧同士のそれぞれが比較されるようになっていることを特徴とする産業機械として構成される。
請求項８に記載の発明は、請求項５〜７のいずれかの項に記載の産業機械において、前記１、２次側電圧検出回路から検出される正弦波の電圧波形からなる前記１、２次側電圧は、フォトカプラによって矩形波からなる電圧波形に変換され、前記制御装置において矩形波の電圧波形同士が比較されるようになっていることを特徴とする産業機械として構成される。
【発明の効果】
【００１０】
以上のように本発明は、産業機械に設けられ、三相交流電圧線である１次側Ｒ、Ｓ、Ｔ線からなる外部の１次側電線と、２次側Ｒ、Ｓ、Ｔ線からなる内部の２次側電線との間に介装されて１、２次側電線を導通・遮断するようになっている電磁開閉器についての検査方法として構成される。本発明は、１次側電線において電圧を検出して１次側電圧を得、２次側電線において電圧を検出して２次側電圧を得、１次側電圧と２次側電圧を比較する電圧比較を実施して、電磁開閉器を導通しているとき不一致が検出されたら異常が発生していると判断する。正常であれば、１次側電圧と２次側電圧は導通するので正確に一致するはずである。しかしながらチャタリングが発生したり、三相のうち１相の電圧が欠損する欠相が発生すると、１、２次側電圧に不一致が生じる。本発明は構成がシンプルでありながら、このような不一致を容易に検出できる。つまり、電磁開閉器の故障を容易に検出できる。また、このような故障の検出は産業機械の運転中であっても実施でき、産業機械を停止する必要はない。産業機械のうち、特に電動射出成形機においては、メンテナンス時に確実に電磁開閉器が三相交流電力の供給を遮断して作業員の安全を確保することが必須であり、電磁開閉器について容易に異常を検出できるだけでなく、運転中においても異常を検出できることは重要である。他の発明によると、１次側電圧は、１次側Ｒ線と１次側Ｓ線の線間電圧である１次側Ｒ−Ｓ線間電圧と、１次側Ｓ線と１次側Ｔ線の線間電圧である１次側Ｓ−Ｔ線間電圧とし、２次側電圧は、２次側Ｒ線と２次側Ｓ線の線間電圧である２次側Ｒ−Ｓ線間電圧と、２次側Ｓ線と２次側Ｔ線の線間電圧である２次側Ｓ−Ｔ線間電圧とし、電圧比較は、１、２次側Ｒ−Ｓ線間電圧同士と、１、２次側Ｓ−Ｔ線間電圧同士のそれぞれを比較するように構成されている。つまりこの発明によると、２組の線間電圧同士を比較すればよいので、センサの個数は最小で済む。つまり小コストで発明を実施できる。他の発明によると、電圧比較は、前記１、２次側電圧のそれぞれについて正弦波からなる電圧波形をフォトカプラを介して矩形波からなる電圧波形に変換し、矩形波同士を比較することによって実施するように構成されている。電圧波形を矩形波に変換すると、振幅の情報が消える。従って矩形波同士で電圧波形を比較すると、振幅の変化を無視できるので位相の相違等を容易に検出することができ、正弦波同士を比較する場合に比してシンプルに検査できる。つまり容易に異常を検出することができ、発明を実施するためのコストを小さくすることができる。
【図面の簡単な説明】
【００１１】
【図１】本発明の実施の形態に係る電動射出成形機に設けられている電磁開閉器と、モータと、回路群とを示すブロック図である。
【図２】本発明の実施の形態に係る電圧検出回路を示す回路図である。
【図３】電磁開閉器が正常に動作しているときと、チャタリングが発生したときと、欠相が発生したときの、それぞれにおける三相交流電圧の正弦波の電圧波形と、本発明の実施の形態に係る電圧検出回路によって変換される矩形波の電圧波形とを示すグラフである。
【発明を実施するための形態】
【００１２】
以下、産業機械の一例である本実施の形態に係る電動射出成形機１について説明する。本実施の形態に係る電動射出成形機１は、従来の電動射出成形機と同様に構成され、概略射出装置と型締装置とからなる。これらの装置はサーボモータ等のモータによって駆動されるようになっており、図１において、そのような各種装置を駆動するモータＭと、電動射出成形機１に設けられている各種回路等とが模式的に示されている。
【００１３】
電動射出成形機１は、外部電源すなわち工場電源２から三相交流電力の供給を受けるようになっており、工場電源２からの１次側電線３、すなわち１次側Ｒ線、Ｓ線、Ｔ線からなる三相交流電線によって三相交流電力が供給されている。電動射出成形機１の内部には、２次側Ｒ線、Ｓ線、Ｔ線からなる２次側電線４が設けられ、三相交流電力の供給を受けるようになっている。このような１次側電線３と２次側電線４の間には電磁開閉器６が介装されている。電磁開閉器６、つまりＭＣは従来周知であるので説明は簡単にするが、１次側電線が接続されている１次側端子と、２次側電線が接続されている２次側端子と、内部にバネ付勢されたスイッチと、該スイッチを駆動するコイルとから構成されている。電動射出成形機１に設けられている電磁開閉器６は、いわゆるフェールセーフに基づいた動作をする標準形からなり、コイルに対して電流を供給していないときはスイッチがＯＦＦされて１次側端子と２次側端子は遮断される。つまり１次側電線３と２次側電線４は遮断され、三相交流電力は供給されない。しかしながらコイルに駆動用電流を流すと電磁力によってスイッチがＯＮになり、１次側端子と２次側端子とが接続される。つまり１次側電線３と２次側電線４が導通し、三相交流電力が供給される。電動射出成形機１には、電動射出成形機１を制御する制御回路８が設けられており、この制御回路８が電磁開閉器６を駆動するようになっている。
【００１４】
２次側電線４はモータＭを駆動する駆動回路９に接続されている。駆動回路９は、三相交流電力の三相交流電圧を直流電圧に変換するコンバータ、この直流電圧を所望の周波数の三相交流電圧に変換するインバータ等から概略構成されている。コンバータ、インバータは制御回路８によって制御されるようになっており、駆動回路９によって生成される三相交流電圧によってモータＭが駆動される。ところで、駆動回路９には直流電圧を平滑化する平滑化コンデンサも設けられている。直流電圧がゼロの状態から電磁開閉器６をＯＮして駆動回路９に三相交流電力を供給すると、平滑化コンデンサに蓄電されるまで駆動回路９に大電流が流れ込んで電子素子を破壊してしまう。そこで電動射出成形機１には初期充電回路１１が設けられ、電子素子の破壊を防止している。すなわち初期充電回路１１は、電磁開閉器６を迂回して１次側電線３から直接三相交流電力の供給を受けるようになっており、駆動回路９への三相交流電力の供給の開始に先だって、平滑化コンデンサに十分に蓄電するようにしている。
【００１５】
本実施の形態に係る電動射出成形機１には、本発明の実施の形態に係る電磁開閉器の検査方法を実施するために、本発明に特有の回路が設けられている。すなわち１次側電線３に設けられている本実施の形態に係る１次側電圧検出回路１２と、２次側電線４に設けられている本実施の形態に係る２次側電圧検出回路１３である。１次側電圧検出回路１２と２次側電圧検出回路１３は、同じ構成からなる。本実施の形態においては、１次側電線３と２次側電線４のそれぞれにおいてＲ線とＳ線の線間電圧と、Ｓ線とＴ線の線間電圧とを検出し、これらの正弦波からなる電力波形を矩形波に変換する回路になっている。
【００１６】
本実施の形態に係る１次側電圧検出回路１２を具体的に説明する。１次側電圧検出回路１２は、１次側Ｒ線と１次側Ｓ線の間に設けられている１次側Ｒ−Ｓ線間電圧検出回路１２Ａと、１次側Ｓ線と１次側Ｔ線の間に設けられている１次側Ｓ−Ｔ線間電圧検出回路１２Ｂとから構成されている。１次側Ｒ−Ｓ線間電圧検出回路１２Ａは、フォトカプラ１４と、第１、２の抵抗１５、１６と、フォトカプラ１４を保護するダイオード１７とから構成されている。１次側Ｒ線から引き出された電圧線は第１の抵抗１５を介してフォトカプラ１４の発光ダイオード１４ａのアノード側に接続され、カソード側は１次側Ｓ線に接続されている。このようなフォトカプラ１４に対して、発光ダイオード１４ａと反対向きになるようにダイオード１７が接続されている。一方、フォトカプラ１４のフォトトランジスタ１４ｂのコレクタには正の直流電圧源１８が接続され、エミッタは第２の抵抗１６を介して接地されている。このエミッタ側の電圧が制御回路８に入力されている。このような１次側Ｒ−Ｓ線間電圧検出回路１２Ａにおいて、１次側Ｒ線と１次側Ｓ線の線間電圧、つまり１次側Ｒ−Ｓ線間電圧が正になると、エミッタには直流電圧源１８の電圧値が検出され、負になると電圧ゼロが検出される。従って１次側Ｒ−Ｓ線間電圧が図３のグラフ２１のように正弦波の電圧波形として変化するとき、エミッタにおいて検出される電圧波形はグラフ２２のように矩形波になる。
【００１７】
１次側Ｓ−Ｔ線間電圧検出回路１２Ｂも、１次側Ｒ−Ｓ線間電圧検出回路１２Ａと同様に構成されている。従って、正弦波の電圧波形からなる１次側Ｓ−Ｔ線間電圧、つまり１次側Ｓ線と１次側Ｔ線の線間電圧が、矩形波の電圧波形に変換されて、制御回路８に入力されている。２次側電圧検出回路１３も、１次側電圧検出回路１２と同様に構成されており、正弦波の電圧波形からなる２次側Ｒ−Ｓ線間電圧、つまり２次側Ｒ線と２次側Ｓ線の線間電圧と、同様に正弦波の電圧波形からなる２次側Ｓ−Ｔ線間電圧、つまり２次側Ｓ線と２次側Ｔ線の線間電圧とが、矩形波の電圧波形に変換されて制御回路８に入力されている。
【００１８】
本実施の形態に係る電磁開閉器の検査方法を説明する。概略的には、１次側電圧検出回路１２と、２次側電圧検出回路１３とにおいて検出される矩形波の電圧波形を制御回路８において比較することによって、電磁開閉器６の故障を検出する。まず、電磁開閉器６をＯＦＦしているとき、つまり１次側電線３と２次側電線４が遮断されているとき、電磁開閉器６は接点の溶着の有無を検査する。このとき制御回路８は、２次側電圧検出回路１３において検出される２次側Ｒ−Ｓ線間電圧と２次側Ｓ−Ｔ線間電圧が、いずれも電圧値が常にゼロになることを確認する。もし、このとき矩形波の電圧波形が検出されたら、接点の溶着が発生していると判断し、警報を発生する。
【００１９】
電磁開閉器６をＯＮしているとき、つまり１次側電線３と２次側電線４とを導通させているとき、制御回路８は１次側電圧と２次側電圧とを比較し電圧波形が一致するか否かを検査する。本実施の形態においては、矩形波に変換された１次側Ｒ−Ｓ線間電圧と、同様に矩形波に変換された２次側Ｒ−Ｓ線間電圧とを比較する。そして矩形波に変換された１次側Ｓ−Ｔ線間電圧と、同様に矩形波に変換された２次側Ｓ−Ｔ線間電圧とを比較する。ただし、電圧波形の振幅については比較の対象から除外する。電磁開閉器６が正常なとき、１次側電圧と２次側電圧とは電圧波形が一致する。制御回路８は矩形に変換されたそれぞれの線間電圧の波形が一致することを確認する。電磁開閉器６において接点の接続がばたつくチャタリングが発生すると、例えば２次側Ｒ−Ｓ線間電圧は、図３のグラフ２４において符号２４ａ、２４ｂで示されているように正弦波の電圧波形の一部が欠落し、電圧がゼロの部分が発生する。このとき矩形波に変形されたグラフ２５の電圧波形においては、符号２５ａで示されているように電圧波形の欠落が発生する。グラフ２２で示されている１次側Ｒ−Ｓ線間電圧の変換された矩形波と比較することによって、符号２５ａの欠落を検出できる。制御回路８はチャタリングが発生していると判断し、警報を発生する。Ｒ、Ｓ、Ｔ線のいずれかの相の電圧が欠相した場合には、２次側Ｒ−Ｓ線間電圧の正弦波の電圧波形は、図３のグラフ２６のようになる。つまり、グラフ２１で示されている１次側Ｒ−Ｓ線間電圧に対して位相がずれると共に振幅も小さくなる。２次側Ｒ−Ｓ線間電圧の変換された矩形波の電圧波形はグラフ２７のようになる。制御回路８は、グラフ２２で示されている１次側Ｒ−Ｓ線間電圧の変換された矩形波と比較して、位相のずれを検出し、欠相が発生していると判断して警報を発生する。
【００２０】
本実施の形態に係る電磁開閉器の検査方法は色々な変形が可能である。本実施の形態において１、２次側電圧検出回路１２、１３は、１、２次側Ｒ−Ｓ線間電圧、１、２次側Ｓ−Ｔ線間電圧を検出するようになっており、制御回路８において１、２次側Ｒ−Ｓ線間電圧同士と、１、２次側Ｓ−Ｔ線間電圧同士とを比較するようになっている。つまり線間電圧同士を比較するようになっている。これをＲ、Ｓ、Ｔ線のそれぞれの相電圧同士を比較するようにしてもよい。つまり１次側電圧検出回路１２においては、１次側Ｒ線、１次側Ｓ線、１次側Ｔ線のそれぞれの相電圧を検出するようにし、２次側電圧検出回路１３においては２次側Ｒ線、２次側Ｓ線、２次側Ｔ線のそれぞれの相電圧を検出するようにし、それぞれの相電圧同士を比較するようにすればよい。他の変形も可能である。本実施の形態においては、正弦波からなる電圧波形をフォトカプラ１４によって矩形波からなる電圧波形に変換して、矩形波の電圧波形同士を比較するように説明した。しかしながら、１、２次側電圧について正弦波からなる電圧波形同士で直接比較するようにしてもよい。
【００２１】
技術用語「電磁開閉器」は、狭義には、電磁石の動作によって電路を開閉する電磁接触器と、過負荷時に回路を保護するために遮断するサーマルリレーとを組合わせた開閉器を意味する。しかしながら本明細書においては技術用語「電磁開閉器」を広義で使用している。すなわち、サーマルリレーが組み込まれていない開閉器、つまり電磁接触器についても、電磁開閉器としている。
【符号の説明】
【００２２】
１      電動射出成形機            ２      工場電源
３      １次側電線                ４      ２次側電線
６      電磁開閉器                ８      制御回路
９      駆動回路                １１      初期充電回路
１２      １次側電圧検出回路      １３      ２次側電圧検出回路
１４      フォトカプラ            １５      第１の抵抗
１６      第２の抵抗              １７      ダイオード
１８      直流電圧源
【図１】
2020006645.tif 000003
【図２】
2020006645.tif 000004
【図３】
2020006645.tif 000005